(57)【特許請求の範囲】
【請求項１】
吸気口および排気口を有する本体枠と、
この本体枠にスライド可能に設けられた摺動体と、
この摺動体の先端部に接続部を介して接続され、摺動体と一体的に移動することに伴い前記吸気口を開閉する蓋体と、
前記吸気口の開放時に前記吸気口から空気を吸込んで前記排気口から排出するファン装置と、
前記蓋体に設けられた係合部と、
前記摺動体に設けられ、前記接続部の破損時に前記係合部を下方から支えて前記蓋体の落下を防止する支持部と、
前記摺動体に設けられ、前記接続部の破損時に前記係合部に係合して前記蓋体が前記本体枠から離間する方向へ倒れることを防止する被係合部と
を備えたことを特徴とする換気扇。
【請求項２】
摺動体には、上方へ突出する被係合部が設けられ、
蓋体には、挿入部を有する突状の係合部が設けられ、
前記被係合部は、接続部の非破損状態で前記挿入部の下方に位置し、接続部の破損時に前記挿入部内に侵入して前記係合部に係合することを特徴とする請求項１記載の換気扇。
【請求項３】
蓋体の係合部と摺動体の被係合部とは、接続部の非破損状態で上下方向にラップしていることを特徴とする請求項１記載の換気扇。
【請求項４】
摺動体の被係合部の先端部には、蓋体側の隅部に位置してＲ部が設けられていることを特徴とする請求項１記載の換気扇。
【請求項５】
摺動体には、挿入部を有する突状の被係合部が設けられ、
蓋体には、下方へ指向する突状の係合部が設けられ、
この係合部は、接続部の非破損状態で前記挿入部内に挿入されていることを特徴とする請求項１記載の換気扇。
【請求項６】
摺動体には、突状の被係合部が設けられ、
蓋体には、蓋体との間に下方へ開口する挿入部を形成する略Ｌ字状の係合部が設けられ、
前記被係合部は、接続部の非破損状態で前記挿入部内に挿入されていることを特徴とする請求項１記載の換気扇。
【請求項７】
蓋体には、下方へ指向する一対の脚部を有する略Ｌ字状の係合部が設けられ、
摺動体には、接続部の非破損状態で前記一対の脚部が挿入された挿入部を有する突状の被係合部が設けられ、
前記各脚部の先端部には、前記各脚部を前記挿入部から抜止めする抜止突部が設けられていることを特徴とする請求項１記載の換気扇。
【発明の詳細な説明】
【０００１】
【発明の属する技術分野】
本発明は、蓋体の移動に伴い吸気口を開閉する構成の換気扇に関する。
【０００２】
【発明が解決しようとする課題】
図１４および図１５は、上記換気扇の従来構成を示すものである。まず、図１４において、本体枠１には、細長な摺動体２がスライド可能に設けられている。この摺動体２の先端部には蓋体３が接続されており、摺動体２が矢印Ａ方向および反矢印Ａ方向へスライドすると、摺動体２と一体的に蓋体３が移動し、本体枠１の吸気口１ａが開閉される。
【０００３】
上記構成の場合、図１５に示すように、蓋体３に円筒状の接続部３ａが形成されており、摺動体２のねじ固定部２ａを通して接続部３ａにねじ４を締込むことに伴い、蓋体３が摺動体２に接続されている。従って、接続部３ａに洗剤，殺虫剤等が付着すると、接続部３ａの剛性が経時変化で低下したり、接続部３ａにクラック（いわゆるソルベントクラック）が生じ、接続部３ａが根元から破損して蓋体３が落下する虞れがあった。
【０００４】
本発明は上記事情に鑑みてなされたものであり、その目的は、接続部が破損した場合でも蓋体の落下を防止できる換気扇を提供することである。
【０００５】
【課題を解決するための手段】
請求項１記載の換気扇は、吸気口および排気口を有する本体枠と、この本体枠にスライド可能に設けられた摺動体と、この摺動体の先端部に接続部を介して接続され摺動体と一体的に移動することに伴い前記吸気口を開閉する蓋体と、前記吸気口の開放時に前記吸気口から空気を吸込んで前記排気口から排出するファン装置と、前記蓋体に設けられた係合部と、前記摺動体に設けられ前記接続部の破損時に前記係合部を下方から支えて前記蓋体の落下を防止する支持部と、前記摺動体に設けられ前記接続部の破損時に前記係合部に係合して前記蓋体が前記本体枠から離間する方向へ倒れることを防止する被係合部とを備えたところに特徴を有する。
【０００６】
上記手段によれば、接続部の破損時に、蓋体の係合部が摺動体の支持部により下方から支えられるので、蓋体の落下が防止される。しかも、蓋体の係合部が摺動体の被係合部に係合し、蓋体が本体枠から離間する方向へ倒れることが防止される。
【０００７】
請求項２記載の換気扇は、上方へ突出する被係合部が摺動体に設けられ、挿入部を有する突状の係合部が蓋体に設けられ、前記被係合部が接続部の非破損状態で前記挿入部の下方に位置し、接続部の破損時に前記挿入部内に侵入して前記係合部に係合するところに特徴を有する。
【０００８】
上記手段によれば、接続部の非破損時には、摺動体の被係合部が蓋体の挿入部の下方に位置し、蓋体の係合部および摺動体の被係合部間が非係合状態に保持されている。このため、摺動体を蓋体に接続するにあたって、係合部と被係合部との間が干渉することが防止されるので、摺動体の接続作業性が向上する。しかも、接続部の破損時には、摺動体の被係合部が蓋体の挿入部内に侵入することに伴い、蓋体の係合部が摺動体の支持部により下方から支えられ、しかも、摺動体の被係合部に係合するので、蓋体の落下および倒れが防止される。
【０００９】
請求項３記載の換気扇は、蓋体の係合部と摺動体の被係合部とが接続部の非破損状態で上下方向にラップしているところに特徴を有する。
上記手段によれば、接続部の非破損状態で蓋体の係合部および摺動体の被係合部間がラップしているので、接続部の破損時に係合部が摺動体の支持部により確実に支えられ、しかも、被係合部に確実に係合する。このため、蓋体の落下および倒れが確実に防止される。
【００１０】
請求項４記載の換気扇は、摺動体の被係合部の先端部のうち蓋体側の隅部にＲ部が設けられているところに特徴を有する。
上記手段によれば、摺動体の被係合部にＲ部が設けられているので、摺動体を蓋体にあてがうにあたって、被係合部が係合部に引掛かることが防止される。このため、特に蓋体の係合部および摺動体の被係合部間をラップさせる場合でも、摺動体の蓋体に対する接続作業性が損なわれる虞れがない。
【００１１】
請求項５記載の換気扇は、挿入部を有する突状の被係合部が摺動体に設けられ、下方へ指向する突状の係合部が蓋体に設けられ、接続部の非破損状態で前記係合部が前記挿入部内に挿入されているところに特徴を有する。
上記手段によれば、接続部の非破損状態において、蓋体の係合部が摺動体の挿入部内に挿入されているので、接続部の破損時に蓋体の係合部が摺動体の支持部により確実に支えられ、摺動体の被係合部に確実に係合する。このため、蓋体の落下および倒れが確実に防止される。
【００１２】
請求項６記載の換気扇は、突状の被係合部が摺動体に設けられ、蓋体との間に下方へ開口する挿入部を形成する略Ｌ字状の係合部が蓋体に設けられ、接続部の非破損状態で前記被係合部が前記挿入部内に挿入されているところに特徴を有する。
上記手段によれば、接続部の非破損状態において、摺動体の被係合部が蓋体の挿入部内に挿入されているので、接続部の破損時に蓋体の係合部が摺動体の支持部により確実に支えられ、摺動体の被係合部に確実に係合する。このため、蓋体の落下および倒れが確実に防止される。
【００１３】
請求項７記載の換気扇は、下方へ指向する一対の脚部を有する略Ｌ字状の係合部が蓋体に設けられ、接続部の非破損状態で前記一対の脚部が挿入された挿入部を有する突状の被係合部が摺動体に設けられ、前記各脚部を前記挿入部から抜止めする抜止突部が前記各脚部の先端部に設けられているところに特徴を有する。
【００１４】
上記手段によれば、接続部の非破損状態において、蓋体の両脚部が摺動体の挿入部内に挿入されているので、接続部の破損時に蓋体の係合部が摺動体の支持部により確実に支えられ、摺動体の被係合部に確実に係合する。このため、蓋体の落下および倒れが確実に防止される。しかも、各脚部が抜止突部により挿入部から抜止めされているので、蓋体の倒れが一層確実に防止される。
【００１５】
【発明の実施の形態】
以下、本発明の第１実施例を図１ないし図５に基づいて説明する。まず、図１において、室壁１１には換気扇挿入孔１１ａが形成され、換気扇挿入孔１１ａ内には木枠１１ｂが挿着されており、この木枠１１ｂ内には本体枠１２が挿着されている。この本体枠１２は、枠体１３（図４参照）にカバー１４（図４参照）を取着してなるものであり、枠体１３には、室内側に位置して開口部１３ａが形成され、室外側に位置して排気口１３ｂが形成されている。
【００１６】
カバー１４には、中央部に位置して吸気口１４ａが形成されている。また、カバー１４には、図２に示すように、吸気口１４ａの両端部に位置して挿入孔１４ｂが形成されており、これら各挿入孔１４ｂ内には摺動プレート１５がスライド可能に挿入されている。これら各摺動プレート１５は合成樹脂により形成されたものであり、各摺動プレート１５の右端部には長孔１５ａが形成されている。尚、摺動プレート１５は摺動体に相当するものである。
【００１７】
カバー１４には、吸気口１４ａの両端部（挿入孔１４ｂの近傍）に位置して合成樹脂製の支持プレート１６がねじ止めされている。これら各支持プレート１６の右端部には第１のガイドローラ１７が装着されており、これら各ガイドローラ１７は、摺動プレート１５の長孔１５ａ内に挿着されている。尚、符号１６ａは、支持プレート１６をカバー１４に固定するねじを示している。
【００１８】
各支持プレート１６の左端部には、図３に示すように、軸部１６ｂが一体形成されており、これら各軸部１６ｂには第２のガイドローラ１８が回転可能に装着されている。また、各摺動プレート１５には、上下端部に位置して位置決めリブ１５ｂおよび１５ｃが一体形成されており、図２に示すように、上方に位置する各位置決めリブ１５ｂはガイドローラ１８に接触し、下方に位置する各位置決めリブ１５ｃとガイドローラ１８との間には隙間が形成されている。
【００１９】
蓋体に相当するパネル１９は、図１に示すように、矩形板状をなす本体部１９ａと、本体部１９ａを周回する枠部１９ｂとを合成樹脂により一体形成してなるものであり、本体部１９ａの両端部には、図３に示すように、接続部に相当する円筒状のボス部１９ｃが一体形成されている。
【００２０】
各摺動プレート１５の左端部にはねじ固定部２０が一体形成されている。これら各ねじ固定部２０は、略コ字状をなす枠部２０ａと、枠部２０ａの右端開口部を閉塞する板部２０ｂとからなるものであり、各ねじ固定部２０内にはボス部１９ｃが挿入されている。そして、各板部２０ｂにはねじ挿入孔２０ｃが形成されており、各ボス部１９ｃには、ねじ挿入孔２０ｃを通してねじ２１が締込まれている。これにより、図２に示すように、各摺動プレート１５の先端およびねじ固定部２０の先端がパネル１９の本体部１９ａに当接し、パネル１９が両摺動プレート１５に接続されている。
【００２１】
各摺動プレート１５には、図３に示すように、ばね引掛部１５ｄが一体形成され、各支持プレート１６にはばね引掛部１６ｃが一体形成されており、これら各組のばね引掛部１５ｄおよび１６ｃには復帰スプリング２２の端部が引掛けられている。これら各復帰スプリング２２は引張コイルスプリングからなるものであり、図１に実線で示すように、摺動プレート１５を反矢印Ａ方向へ付勢することに伴い、パネル１９をカバー１４に引付け、カバー１４の吸気口１４ａをパネル１９により閉塞している。
【００２２】
パネル１９の両端部には、図３に示すように、係合部に相当する突状の引掛部２３が一体形成されている。これら各引掛部２３は、本体部１９ａと枠部１９ｂとを跨ぐＬ字状をなすものであり、各引掛部２３とパネル１９との間には孔状の挿入部２３ａが形成されている。また、各摺動プレート１５には、ねじ固定部２０の先端部に位置して上方へ突出する突部２４が一体形成されている。これら各突部２４は被係合部に相当するものであり、図２に示すように、挿入部２３ａの下方に位置している。
【００２３】
枠体１３内には、図１に示すように、モータ支持プレート２５が配設され、このモータ支持プレート２５にはファン装置２６のファンモータ２６ａが取付けられている。このファン装置２６は、ファンモータ２６ａの回転軸にファン２６ｂを取着してなるものであり、ファンモータ２６ａが作動すると、ファン２６ｂが回転する。
【００２４】
各支持プレート１６には、図３に示すように、ダンパー挿着孔１６ｄが形成され、これら各ダンパー挿着孔１６ｄ内にはオイルダンパー２７の本体部２７ａが取付けられている。これら各オイルダンパー２７は、本体部２７ａにギア２７ｂを回転可能に装着してなるものであり、本体部２７ａ内には、ギア２７ｂの回転に抵抗力を付与するオイルが充填されている。
【００２５】
各摺動プレート１５にはラック部１５ｅが一体形成されている。そして、これら各ラック部１５ｅは、図２に示すように、オイルダンパー２７のギア２７ｂに噛合されており、各摺動プレート１５がスライドすると、各摺動プレート１５のスライド力がラック部１５ｅを通してギア２７ｂに伝達され、ギア２７ｂがオイルの粘性力に抗して回転する。これにより、各摺動プレート１５のスライドに抵抗が付与される。
【００２６】
枠体１３内には、図１に示すように、パネル駆動機構２８が配設されている。このパネル駆動機構２８は、巻上げモータ２８ａの出力軸とアーム２８ｂとの間をワイヤ２８ｃにより連結してなるものであり、巻上げモータ２８ａが作動すると、ワイヤ２８ｃが反矢印Ａ方向へ巻上げられ、アーム２８ｂが軸２８ｄを中心に矢印Ｂ方向へ回動する。そして、アーム２８ｂには、図２に示すように、紙面奥行方向へ延びる押圧部２８ｅが折曲形成されており、アーム２８ｂが矢印Ｂ方向へ回動すると、両摺動プレート１５の右端部が押圧部２８ｅにより矢印Ａ方向へ同時に押圧される。
【００２７】
次に上記構成の作用について説明する。運転キー（図示せず）が操作されると、巻上げモータ２８ａに電源が供給され、まず、アーム２８ｂが軸２８ｄを中心に矢印Ｂ方向へ回動する。次に、両摺動プレート１５がアーム２８ｄの押圧部２８ｅにより押圧され、復帰スプリング２２のばね力に抗して矢印Ａ方向へスライドする。これにより、パネル１９が一体的に同方向へ移動し、図１に二点鎖線で示すように、カバー１４の吸気口１４ａが開放される。これと共に、ファンモータ２６ａに電源が供給され、室内の空気が吸気口１４ａから開口部１３ａを通して枠体１３内に吸引され、排気口１３ｂを通して室外へ排出される。
【００２８】
この状態で停止キー（図示せず）が操作されると、巻上げモータ２８ａが断電され、各摺動プレート１５が復帰スプリング２２のばね力により反矢印Ａ方向へスライドする。すると、パネル１９が一体的に同方向へスライドし、カバー１４に当接することに伴い、吸気口１４ａを閉塞する。これと共に、ファンモータ２６ａが断電され、換気運転が停止する。尚、カバー１４には、図５に示すように、操作パネル２９が装着されており、運転キーおよび停止キーは操作パネル２９に装着されている。
【００２９】
上記実施例によれば、パネル１９に引掛部２３，２３を形成すると共に、各摺動プレート１５に突部２４を形成した。このため、パネル１９の両ボス部１９ｃが破損すると、各突部２４が挿入部２３ａ内に侵入し、各引掛部２３が摺動プレート１５のねじ固定部２０（摺動プレート１５の支持部に相当する）により下方から支えられるので、パネル１９の鉛直方向への落下が防止される。しかも、各引掛部２３が突部２４に係合し、パネル１９の矢印Ｃ方向への倒れが防止されるので、総じてパネル１９の脱落が確実に防止され、安全性が向上する。
【００３０】
また、両ボス部１９ｃの非破損状態において、各摺動プレート１５の突部２４を挿入部２３ａの下方に配置することに伴い、突部２４および引掛部２３間を非係合状態に保持した。このため、各摺動プレート１５をパネル１９に接続するにあたって、突部２４が引掛部２３に干渉することが防止されるので、摺動プレート１５の接続作業性が向上する。
【００３１】
また、各支持プレート１６にオイルダンパー２７を取付け、各摺動プレート１５のラック部１５ｅをオイルダンパー２７のギア２７ｂに噛合させた。このため、吸気口１４ａの開閉時に各摺動プレート１５のスライド力がラック部１５ｅを通してギア２７ｂに伝達され、ギア２７ｂがオイルの粘性力に抗して回転するので、各摺動プレート１５の矢印Ａ方向へのスライドおよび反矢印Ａ方向へのスライドに抵抗が付与される。従って、各摺動プレート１５が復帰ばね２２のばね力により反矢印Ａ方向へスライドするにあたって、各摺動プレート１５が減速されるので、パネル１９がカバー１４に衝突する際の衝撃が緩和される。
【００３２】
また、各支持プレート１６に第１のガイドローラ１７を取付け、これら各ガイドローラ１７を摺動プレート１５の長孔１５ａ内に挿着したので、各摺動プレート１５のスライド時に長孔１５ａの内面からガイドローラ１７に回転力が伝達され、ガイドローラ１７が回転する。このため、各摺動プレート１５がガイドローラ１７により案内され、円滑にスライドするので、パネル１９による吸気口１４ａの開閉が安定的に行われる。
【００３３】
また、各支持プレート１６に第２のガイドローラ１８を取付け、これら各ガイドローラ１８を摺動プレート１５の位置決めリブ１５ｂに接触させたので、各摺動プレート１５のスライド時に位置決めリブ１５ｂからガイドローラ１８に回転力が伝達され、ガイドローラ１８が回転する。このため、各摺動プレート１５がガイドローラ１８により案内され、この点からも円滑にスライドするので、吸気口１４ａの開閉が安定的に行われる。
【００３４】
しかも、各位置決めリブ１５ｂがガイドローラ１８に接触し、各摺動プレート１５が上下方向へ位置決めされるので、各摺動プレート１５がカバー１４の挿入孔１４ｂの内面に引掛かることが防止される。このため、各摺動プレート１５のスライドが一層円滑に行われるので、吸気口１４ａの開閉も一層安定化される。
【００３５】
ところで、アーム２８ｂにより両摺動プレート１５の右端部を矢印Ａ方向へ押圧している都合上、各摺動プレート１５が矢印Ａ方向へのスライド時に若干持上がる傾向がある。このため、各摺動プレート１５の下端部に位置決めリブ１５ｃが形成されていなかった従来構成の場合、各摺動プレート１５のラック部１５ｅがオイルダンパー２７のギア２７ｂから外れたり、ラック部１５ｅとギア２７ｂとの噛合状態が不安定になるので、各摺動プレート１５が円滑にスライドしない虞れがあった。
【００３６】
これに対して上記実施例では、各摺動プレート１５の下端部に位置決めリブ１５ｃを形成したので、各摺動プレート１５が矢印Ａ方向へのスライド時に持上がろうとすると、各位置決めリブ１５ｃがガイドローラ１８に接触し、各摺動プレート１５の持上がりが防止される。このため、各摺動プレート１５のラック部１５ｅとギア２７ｂとの噛合状態が安定し、この点からも各摺動プレート１５が円滑にスライドするので、吸気口１４ａの開閉も安定化される。
【００３７】
次に本発明の第２実施例を図６に基づいて説明する。尚、上記第１実施例と同一の部材については同一の符号を付して説明を省略し、以下、異なる部材についてのみ説明を行う。各引掛部２３の下端部と突部２４の上端部との間は、両ボス部１９ｃの非破損状態で上下方向にラップしている。
【００３８】
上記実施例によれば、各摺動プレート１５の突部２４をパネル１９の挿入部２３ａ内に挿入した後、各摺動プレート１５の板部２０ｂを通してボス部１９ｃにねじ２１を締込むと、各摺動プレート１５にパネル１９が接続され、各突部２４および引掛部２３間がラップする。このため、両ボス部１９ｃの破損時に各突部２４が挿入部２３ａ内に確実に侵入し、各引掛部２３が摺動プレート１５のねじ固定部２０により確実に支えられ、突部２４に確実に係合するので、パネル１９の脱落が一層確実に防止される。
【００３９】
また、両ボス部１９ｃの非破損状態で各突部２４を引掛部２３に係合しておく構成とした場合には、各摺動プレート１５をパネル１９に接続するにあたって、各突部２４を挿入部２３ａ内に十分に挿入する手間が必要になる。これに対して本実施例では、各突部２４の上端部と引掛部２３の下端部との間をラップさせたので、各突部２４を挿入部２３ａ内に十分に挿入する手間が不要になる。このため、摺動プレート１５の接続作業性の低下が防止される。
【００４０】
次に本発明の第３実施例を図７に基づいて説明する。尚、上記第２実施例と同一の部材については同一の符号を付して説明を省略し、以下、異なる部材についてのみ説明を行う。各突部２４の上端部には、パネル１９側の隅部に位置してＲ部２４ａが形成され、各引掛部２３の下端部には、内側（突部２４側）の隅部に位置してＲ部２３ｂが形成されている。
【００４１】
上記実施例によれば、各突部２４の上端部にＲ部２４ａを形成したので、各摺動プレート１５をパネル１９にあてがうにあたって、各突部２４の上端部が引掛部２３に引掛かることが防止される。これと共に、各引掛部２３にＲ部２３ｂを形成したので、各摺動プレート１５をパネル１９にあてがった後、上方へスライドさせるにあたって、各突部２４が引掛部２３に引掛かることなく挿入部２３ａ内に挿入される。このため、摺動プレート１５の接続作業性が向上し、特にパネル１９の各引掛部２３と摺動プレート１５の突部２４との間をラップさせる場合でも、摺動プレート１５の接続作業性が損なわれる虞れがなくなる。
【００４２】
次に本発明の第４実施例を図８に基づいて説明する。尚、上記第３実施例と同一の部材については同一の符号を付して説明を省略し、以下、異なる部材についてのみ説明を行う。各突部２４の上端部には、パネル１９と反対側の隅部（引掛部２３側の隅部）に位置してＲ部２４ｂが形成されている。
【００４３】
上記実施例によれば、各突部２４の上端部にＲ部２４ｂを形成したので、パネル１９にあてがった各摺動プレート１５を上方へスライドさせ、各突部２４を挿入部２３ａ内に挿入するにあたって、各突部２４が引掛部２３に引掛かってしまうことが防止される。このため、摺動プレート１５の接続作業性が向上し、特にパネル１９の各引掛部２３と摺動プレート１５の突部２４との間をラップさせる場合でも、摺動プレート１５の接続作業性が損なわれる虞れがなくなる。
【００４４】
次に本発明の第５実施例を図９に基づいて説明する。尚、上記第４実施例と同一の部材については同一の符号を付して説明を省略し、以下、異なる部材についてのみ説明を行う。各引掛部２３の下端部には、内側（突部２４側）の隅部に位置してＲ部２３ｂが形成されている。
【００４５】
上記実施例によれば、各引掛部２３にＲ部２３ｂを形成したので、パネル１９にあてがった各摺動プレート１５を上方へスライドさせ、各突部２４を挿入部２３ａ内に挿入するにあたって、各突部２４が引掛部２３に引掛かってしまうことが防止される。このため、摺動プレート１５の接続作業性が向上し、特にパネル１９の各引掛部２３と摺動プレート１５の突部２４との間をラップさせる場合でも、摺動プレート１５の接続作業性が損なわれる虞れがなくなる。
【００４６】
次に本発明の第６実施例を図１０および図１１に基づいて説明する。尚、上記第１実施例と同一の部材については同一の符号を付して説明を省略し、以下、異なる部材についてのみ説明を行う。まず、図１１において、各摺動プレート１５の先端部には、被係合部に相当する突状の引掛部３０が一体形成されている。これら各引掛部３０は、腕部３０ａおよび３０ｂ相互間を連結部３０ｃにより連結した略コ字状をなすものであり、各引掛部３０と摺動プレート１５との間には、矩形孔状の挿入部３０ｄが形成されている。
【００４７】
パネル１９の両端部には、下方へ指向するＬ字状の突部３１が一体形成されている。これら各突部３１は係合部に相当するものであり、各摺動プレート１５をパネル１９にあてがい、上方へスライドさせると、図１０に示すように、各挿入部３０ｄ内に突部３１が侵入する。この後、各摺動プレート１５の板部２０ｂを通してボス部１９ｃにねじ２１を締込むと、各摺動プレート１５の先端および引掛部３０の一方の腕部３０ａがパネル１９に当接し、両摺動プレート１５がパネル１９に固定される。尚、符号３１ａは、突部３１とパネル１９との間に形成された挿入部を示すものであり、この挿入部３１ａは、下方へ開口している。
【００４８】
上記実施例によれば、両ボス部１９ｃの非破損状態において、各突部３１を摺動プレート１５の挿入部３０ｄ内に挿入したので、両ボス部１９ｃが破損すると、各突部３１が左側の腕部３０ａ（摺動プレート１５の支持部に相当する）により確実に支えられ、しかも、引掛部３０に確実に係合する。このため、パネル１９の落下および倒れが確実に防止される。
【００４９】
尚、上記第６実施例においては、両ボス部１９ｃの非破損状態でパネル１９の各突部３１を摺動プレート１５の挿入部３０ｄ内に挿入したが、これに限定されるものではなく、例えば、各突部３１の下端部を挿入部３０ｄの上方に配置しても良い。この構成の場合でも、両ボス部１９ｃが破損すると、各突部３１が挿入部３０ｄ内に侵入するので、パネル１９の落下および倒れが防止される。
【００５０】
また、上記第６実施例においては、各腕部３０ａの上端部うちパネル１９側の隅部，各腕部３０ａの上端部うち突部３１側の隅部，各突部３１の下端部のうち腕部３０ａ側の隅部，各突部３１の下端部のうち腕部３０ｂ側の隅部をエッジ状に形成したが、これに限定されるものではなく、これらの部分をＲ状に形成しても良い。この構成の場合、各摺動プレート１５をパネル１９に接続するにあたって、各引掛部３０が突部３１に引掛かることが防止されるので、接続作業性が向上する。
【００５１】
次に本発明の第７実施例を図１２に基づいて説明する。尚、上記第６実施例と同一の部材については同一の符号を付して説明を省略し、以下、異なる部材についてのみ説明を行う。各摺動プレート１５の先端部には突状の板部３２が一体形成されている。これら各板部３２は被係合部および支持部に相当するものであり、両ボス部１９ｃの非破損状態において、挿入部３１ａ内に挿入されている。
【００５２】
上記実施例によれば、両ボス部１９ｃの非破損状態において、各摺動プレート１５の板部３２を挿入部３１ａ内に挿入したので、両ボス部１９ｃが破損すると、各突部３１が板部３２により確実に支えられ、板部３２に確実に係合する。このため、パネル１９の落下および倒れが確実に防止される。しかも、孔を有する複雑な形状の被係合部を摺動プレート１５に形成する必要がなくなるので、摺動プレート１５を成形する成形型が簡素化され、各摺動プレート１５の成形性が向上する。
【００５３】
尚、上記第７実施例においては、両ボス部１９ｃの非破損状態で各摺動プレート１５の板部３２をパネル１９の挿入部３１ａ内に挿入したが、これに限定されるものではなく、例えば、各板部３２の上端部を挿入部３１ａの下方に配置しても良い。この構成の場合でも、両ボス部１９ｃが破損すると、各板部３２が挿入部３１ａ内に侵入するので、パネル１９の落下および倒れが防止される。
【００５４】
また、上記第７実施例においては、各板部３２の上端部のうちパネル１９側の隅部，各板部３２の上端部うち突部３１側の隅部，各突部３１の下端部のうち板部３２側の隅部をエッジ状に形成したが、これに限定されるものではなく、これらの部分をＲ状に形成しても良い。この構成の場合、各摺動プレート１５をパネル１９に接続するにあたって、各板部３２が突部３１に引掛かることが防止されるので、接続作業性が向上する。
【００５５】
次に本発明の第８実施例を図１３に基づいて説明する。尚、上記第７実施例と同一の部材については同一の符号を付して説明を省略し、以下、異なる部材についてのみ説明を行う。各摺動プレート１５の先端部には、被係合部に相当する突状の引掛部３３が一体形成されている。これら各引掛部３３は、腕部３３ａおよび３３ｂ相互間を連結部３３ｃ，３３ｃにより連結した矩形枠状をなすものであり、各引掛部３３内には、矩形孔状の挿入部３３ｄが形成されている。
【００５６】
パネル１９の各突部３１には、一対の脚部３１ｂが形成されている。これら各脚部３１ｂは、突部３１に下方へ開口する切欠部３１ｃを形成することに伴い得られたものであり、各脚部３１ｂの先端部には抜止突部３１ｄが一体形成されている。
【００５７】
上記実施例によれば、各摺動プレート１５の先端をパネル１９にあてがい、上方へスライドさせると、各抜止突部３１ｄが連結部３３ｃの内面により押圧される。すると、各脚部３１ｂが弾性変形し、挿入部３３ｄ内に抜止状態で挿入される。この後、各摺動プレート１５の板部２０ｂを通してボス部１９ｃにねじ２１を締込むと、各摺動プレート１５の先端および一方の腕部３３ａがパネル１９に当接し、各摺動プレート１５がパネル１９に接続される。
【００５８】
この構成の場合、両ボス部１９ｃの非破損状態において、パネル１９の各脚部３１ｂが摺動プレート１５の挿入部３３ｄ内に挿入されているので、両ボス部１９ｃが破損すると、各突部３１が引掛部３３の左側の腕部３３ａ（摺動プレート１５の支持部に相当する）により確実に支えられ、引掛部３３に確実に係合する。このため、パネル１９の落下および倒れが確実に防止される。しかも、各抜止突部３１ｄが引掛部３３の連結部３３ｃに係合し、各脚部３１ｂが挿入部３３ｄから抜止めされるので、パネル１９の倒れが確実に防止される。
【００５９】
尚、上記第８実施例においては、各腕部３３ａの上端部のうちパネル１９側の隅部，各腕部３３ａの上端部うち突部３１側の隅部，各突部３１の下端部のうち腕部３３ａ側の隅部，各突部３１の下端部のうち腕部３３ｂ側の隅部をエッジ状に形成したが、これに限定されるものではなく、これらの部分をＲ状に形成しても良い。この構成の場合、各摺動プレート１５をパネル１９に接続するにあたって、引掛部３３が突部３１に引掛かることが防止されるので、接続作業性が向上する。
【００６０】
【発明の効果】
以上の説明から明らかなように、本発明の換気扇は次の効果を奏する。
請求項１記載の手段によれば、接続部の破損時に、蓋体の係合部を摺動体の支持部により下方から支えると共に、摺動体の被係合部に係合させた。このため、蓋体の落下および倒れが防止されるので、安全性が向上する。
請求項２記載の手段によれば、接続部の非破損状態において、摺動体の被係合部を蓋体の挿入部の下方に配置した。このため、摺動体を蓋体に接続するにあたって、係合部および被係合部間が干渉することが防止されるので、摺動体の接続作業性が向上する。
【００６１】
請求項３記載の手段によれば、接続部の非破損状態において、蓋体の係合部と摺動体の被係合部とをラップさせた。このため、接続部の破損時に係合部が摺動体の支持部により確実に支えられ、被係合部に確実に係合するので、蓋体の落下および倒れが一層確実に防止される。しかも、摺動体を蓋体に接続するにあたって、被係合部を係合部に係合させる必要がないので、摺動体の接続作業性の低下が防止される。
【００６２】
請求項４記載の手段によれば、摺動体の被係合部にＲ部を形成したので、摺動体を蓋体にあてがうにあたって、被係合部が係合部に引掛かることが防止される。このため、摺動体の接続作業性が向上するので、特に蓋体の係合部と摺動体の被係合部とをラップさせる場合でも、摺動体の接続作業性が損なわれる虞れがなくなる。
【００６３】
請求項５記載の手段によれば、接続部の非破損状態において、蓋体の係合部を摺動体の挿入部内に挿入した。このため、接続部の破損時に蓋体の係合部が摺動体の支持部により確実に支えられ、摺動体の被係合部に確実に係合するので、蓋体の落下および倒れが確実に防止される。
【００６４】
請求項６記載の手段によれば、接続部の非破損状態において、摺動体の被係合部を蓋体の挿入部内に挿入した。このため、接続部の破損時に蓋体の係合部が摺動体の支持部により確実に支えられ、摺動体の被係合部に確実に係合するので、蓋体の落下および倒れが確実に防止される。しかも、複雑な形状の被係合部を摺動体に形成する必要がなくなるので、摺動体を成形する成形型が簡素化され、摺動体の成形性が向上する。
【００６５】
請求項７記載の手段によれば、接続部の非破損状態において、蓋体の両脚部を摺動体の挿入部内に挿入した。このため、接続部の破損時に蓋体の係合部が摺動体の支持部により確実に支えられ、摺動体の被係合部に確実に係合するので、蓋体の落下および倒れが確実に防止される。しかも、各脚部を挿入部から抜止めしたので、蓋体の倒れが一層確実に防止される。
【図面の簡単な説明】
【図１】本発明の第１実施例を示す図（全体構成を示す縦断側面図）
【図２】要部を拡大して示す縦断側面図
【図３】摺動プレート，支持プレート，パネルを示す分解斜視図
【図４】全体構成を示す斜視図
【図５】カバーおよびパネルを示す斜視図
【図６】本発明の第２実施例を示す図（摺動プレートの先端部およびパネルを示す縦断側面図）
【図７】本発明の第３実施例を示す図（引掛部および突部を拡大して示す縦断側面図）
【図８】本発明の第４実施例を示す図７相当図
【図９】本発明の第５実施例を示す図７相当図
【図１０】本発明の第６実施例を示す図６相当図
【図１１】図３相当図
【図１２】本発明の第７実施例を示す図３相当図
【図１３】本発明の第８実施例を示す図３相当図
【図１４】従来例を示す図１相当図
【図１５】図３相当図
【符号の説明】
１２は本体枠、１３ｂは排気口、１４ａは吸気口、１５は摺動プレート（摺動体）、１９はパネル（蓋体）、１９ｃはボス部（接続部）、２０はねじ固定部（支持部）、２３は引掛部（係合部）、２３ａは挿入部、２４は突部（被係合部）、２４ａはＲ部、２６はファン装置、３０は引掛部（被係合部）、３０ａは腕部（支持部）、３０ｄは挿入部、３１は突部（係合部）、３１ａは挿入部、３１ｂは脚部、３１ｄは抜止突部、３２は板部（被係合部，支持部）、３３は引掛部（被係合部）、３３ａは腕部（支持部）、３３ｄは挿入部を示す。
【図１】
0003651728.tif 000002
【図２】
0003651728.tif 000003
【図３】
0003651728.tif 000004
【図４】
0003651728.tif 000005
【図５】
0003651728.tif 000006
【図６】
0003651728.tif 000007
【図７】
0003651728.tif 000008
【図８】
0003651728.tif 000009
【図９】
0003651728.tif 000010
【図１０】
0003651728.tif 000011
【図１１】
0003651728.tif 000012
【図１２】
0003651728.tif 000013
【図１３】
0003651728.tif 000014
【図１４】
0003651728.tif 000015
【図１５】
0003651728.tif 000016